(57)【要約】【課題】電子機器の電池格納部の薄型化を図る。【解決手段】電池パック収納構造において、電池収納部が、比較的薄いポリカーボネート等のシート状部材を用いて、例えば、真空成形により箱型に成形されてなる電池受け台７が、リアケース４に形成された枠状部８に嵌め込まれて形成され、底面部１５が、シート状部材の厚さまで低減されることによって、電池収納部の薄型化が図られる。【選択図】図１
2008171633.tif 000002
【特許請求の範囲】
【請求項１】
フレームに部品収納部が設けられ、該部品収納部に電子部品が収納されている電子部品収納構造であって、
前記フレームには、側壁によって画成された両面開口の枠部が形成され、前記枠部には、前記電子部品を載置する受け台が嵌着され、かつ、前記受け台の開口を覆うように蓋部材が取着され、
前記受け台は、周縁部にリブを有し、前記枠部の前記側壁には、前記リブと嵌合するリブ受け部が形成され、
前記リブと前記リブ受け部とが嵌合することによって、前記受け台が、前記フレームに取り付けられていることを特徴とする電子部品収納構造。
【請求項２】
前記受け台は、可撓性を有するシート状の樹脂部材又は金属部材で作られていることを特徴とする請求項１記載の電子部品収納構造。
【請求項３】
前記リブの内表面又は外表面に形成された凹面又は凸面と、前記リブ受け部に形成された凸面又は凹面とが、接触するようにして、前記リブと前記リブ受け部とが嵌合することを特徴とする請求項１又は２記載の電子部品収納構造。
【請求項４】
前記枠部には、内壁面及び外壁面を有し互いに対向する一対の立壁部が形成され、前記立壁部の前記外壁面に、前記リブ受け部が形成されていることを特徴とする請求項１、２又は３記載の電子部品収納構造。
【請求項５】
前記リブ及び前記リブ受け部の表面は、共に略半円錐形状に成形され、前記受け台が、前記枠部に押し込まれることによって、前記リブが前記リブ受け部に嵌め込まれて、前記受け台が前記フレームに取り付けられることを特徴とする請求項１乃至４のいずれか１に記載の電子部品収納構造。
【請求項６】
前記電子部品は、電子機器の構成各部に電力を供給するために用いられる電池パックからなることを特徴とする請求項１乃至５のいずれか１に記載の電子部品収納構造。
【請求項７】
前記受け台は、真空成形により作製されることを特徴とする請求項１乃至６のいずれか１に記載の電子部品収納構造。
【請求項８】
請求項１乃至７のいずれか１に記載の電子部品収納構造を備えたことを特徴とする電子機器。
【発明の詳細な説明】
【技術分野】
【０００１】
この発明は、電子部品収納構造及び該構造を備えた電子機器に係り、例えば、携帯電話機等の携帯型の電子機器において、薄型の電子部品としての電池パックを収納するための電子部品収納構造、及び該構造を備えた電子機器に関する。
【背景技術】
【０００２】
従来より、携帯型の電子機器としての例えば携帯電話機においては、携帯電話機本体に、充電可能なリチウムイオン二次電池等の電池からなる電池パックが着脱自在に装着され、この電池パックが交換可能なようになされている。
例えば、折畳み式の携帯電話機を構成する電源部（充電式電池パック部）１０１は、図１９に示すように、扁平な略直方体形状の電池パック１０２が下部筐体１０３のリアケース１０４の裏面側に設けられた比較的浅底の凹状の電池格納部１０５内に着脱自在に装着され、かつ、平板状の電池カバー（不図示）がリアケース１０４に着脱自在に取り着けられ、電池パック１０２が電池収納部１０５に収納された状態で、電池カバーによって覆われ、保護されて、概略構成されている（例えば、特許文献１、特許文献２等参照。）。
【０００３】
電池格納部１０５は、リアケース１０４に一体的に形成され、電池パック１０２は、電池格納部１０５の底面部１０７に載置される。
ところが、経時変化や、過熱（過充電時や、高温下に放置した場合）によって、例えば、電解質が分解してガスが発生し、電池パック１０２の中央部が膨張する。
【０００４】
すなわち、電池パック１０２の裏面側の中央部が膨張すると、底面部１０７は容易に変形しない（硬い）ため、底面部１０７によって押し返されて、電池パック１０２自身を押し上げると共に、表面側の中央部も膨張する。
このため、電池パック１０２と電池カバーとの間には、膨張による変形を許容する（吸収する）ための隙間が設けられている。
【特許文献１】特開２０００−３２３１１０号公報
【特許文献２】特開２００３−３３１２２３号公報
【発明の開示】
【発明が解決しようとする課題】
【０００５】
解決しようとする問題点は、上記従来技術では、電池格納部の薄型化が困難であるという点である。
すなわち、電池格納部は、リアケースに一体的に形成され、電池パックを載置させる電池格納部の底面部を、所定値以下の厚さとすることが困難である。
【０００６】
この発明は、上述の事情に鑑みてなされたもので、電子機器の電池格納部等の電子部品格納部の薄型化を図ることができる電子部品収納構造及び該構造を備えた電子機器を提供することを目的としている。
【課題を解決するための手段】
【０００７】
上記課題を解決するために、請求項１記載の発明は、フレームに部品収納部が設けられ、該部品収納部に電子部品が収納されている電子部品収納構造に係り、上記フレームには、側壁によって画成された両面開口の枠部が形成され、上記枠部には、上記電子部品を載置する受け台が嵌着され、かつ、上記受け台の開口を覆うように蓋部材が取着され、上記受け台は、周縁部にリブを有し、上記枠部の上記側壁には、上記リブと嵌合するリブ受け部が形成され、上記リブと上記リブ受け部とが嵌合することによって、上記受け台が、上記フレームに取り付けられていることを特徴としている。
【０００８】
また、請求項２記載の発明は、請求項１記載の電子部品収納構造に係り、上記受け台は、可撓性を有するシート状の樹脂部材又は金属部材で作られていることを特徴としている。
【０００９】
また、請求項３記載の発明は、請求項１又は２記載の電子部品収納構造に係り、上記リブの内表面又は外表面に形成された凹面又は凸面と、上記リブ受け部に形成された凸面又は凹面とが、接触するようにして、上記リブと上記リブ受け部とが嵌合することを特徴としている。
【００１０】
また、請求項４記載の発明は、請求項１，２又は３記載の電子部品収納構造に係り、上記枠部には、内壁面及び外壁面を有し互いに対向する一対の立壁部が形成され、上記立壁部の上記外壁面に、上記リブ受け部が形成されていることを特徴としている。
【００１１】
また、請求項５記載の発明は、請求項１乃至４のいずれか１に記載の電子部品収納構造に係り、上記リブ及び上記リブ受け部の表面は、共に略半円錐形状に成形され、上記受け台が、上記枠部に押し込まれることによって、上記リブが上記リブ受け部に嵌め込まれて、上記受け台が上記フレームに取り付けられることを特徴としている。
【００１２】
また、請求項６記載の発明は、請求項１乃至５のいずれか１に記載の電子部品収納構造に係り、上記電子部品は、電子機器の構成各部に電力を供給するために用いられる電池パックからなることを特徴としている。
【００１３】
また、請求項７記載の発明は、請求項１乃至６のいずれか１に記載の電子部品収納構造に係り、上記受け台は、真空成形により作製されることを特徴としている。
【００１４】
また、請求項８記載の発明に係る電子機器は、請求項１乃至７のいずれか１に記載の電子部品収納構造を備えたことを特徴としている。
【発明の効果】
【００１５】
この発明の構成によれば、受け台がフレームに形成された枠部に嵌着されてなる部品収納部内に、電子部品が収納されているので、電子機器の電池格納部等の部品格納部の薄型化を図ることができる。
【発明を実施するための最良の形態】
【００１６】
受け台がフレームに形成された枠部に嵌着されてなる部品収納部内に、電子部品が収納されていることによって、電子機器の電池格納部等の部品格納部の薄型化を図るという目的を実現した。
【実施例１】
【００１７】
図１は、この発明の第１の実施例である携帯電話機の構成を説明するための分解斜視図、図２は、同携帯電話機の下部筐体のリアケースに設けられた電池収納部の構成を示す斜視図であって、同リアケースの裏面側から見た図、図３は、同電池収納部の構成を示す下面図、図４は、同電池収納部の構成を示す下面図であって、同電池収納部に電池パックを収納した状態を示す図、図５は、図３のＡ−Ａ線に沿った断面図、図６は、同電池収納部の電池受け台の構成を示す斜視図、図７は、同電池受け台の構成を示す平面図、図８は、同電池受け台の構成を示す下面図、図９は、同電池受け台の構成を示す正面図、図１０は、同電池受け台の構成を示す背面図、図１１は、同電池受け台の構成を示す左側面図、図１２は、同電池受け台の構成を示す右側面図、図１３は、同電池受け台の側面部に形成された嵌着用湾曲部の構成を示す斜視図、図１４及び図１５は、同電池受け台の同リアケースへの取付方法を説明するための説明図、また、図１６は、図４のＢ−Ｂ線に沿った断面図であって、同携帯電話機の電池パック収納構造の機能を説明するための説明図である。
【００１８】
この例の携帯電話機は、図１に示すように、折畳可能な筐体を備えると共に、通話機能やデータ通信機能を有し、上部ユニットと下部ユニット１とが、折畳可能なようにヒンジ部で相互に結合されて構成されている。
上部ユニットは、扁平な上部筐体に、例えば液晶表示装置からなる表示部や、通話時に受話音声を出力する受話部等が実装されて概略構成され、下部ユニット１は、扁平な下部筐体２に、ＣＰＵ（中央処理装置）等からなる制御部や、ＲＯＭ、ＲＡＭ等の半導体メモリからなる記憶部、通話やデータ通信を行うための無線通信部、各種操作キー等からなる操作部、送話音声を入力する送話部、電池パックを有する電源部等が実装されて概略構成されている。
【００１９】
下部筐体２は、例えばＡＢＳ樹脂等の合成樹脂成形品からなり、図１乃至図４に示すように、それぞれ、内面側を構成するフロントケース３と、外面側を構成するリアケース４とを有し、組み合されたフロントケース３とリアケース４とが、リブにおける嵌合によって、又は雌ねじや雄ねじ等の固定具による締付けによって、各種構成部品が内部に収納され、又は取り着けられた状態で、組み立てられてなっている。なお、上部筐体も、下部筐体２と同様の構成とされている。
【００２０】
この例の電池パック収納構造６は、図１乃至図５に示すように、比較的薄いポリカーボネート等の合成樹脂製のシート状部材を用いて成形された箱型の電池受け台７が、リアケース４に形成された枠状部８に嵌め込まれて形成された電池収納部９の内部に、扁平な略直方体形状の電池パック１１が着脱自在に装着され、かつ、平板状の電池カバー１２がリアケース４に着脱自在に取り着けられ、電池パック１１が電池収納部９に収納された状態で、電池カバー１２によって覆われ保護されて、概略構成されている。
なお、この例では、電池パック１１の周側面のうち、接続端子が形成された側面とその対向面とは、電池受け台７の側面部１６によって押えられ、収納時にリアケース４の長さ方向に沿って配置される側面は、リアケース４に形成された立壁部１３の内壁面１３ａによって押えられる。
【００２１】
リアケース４の枠状部８の内面側には、図５に示すように、内壁面１３ａと外壁面１３ｂとを有し電池受け台７を取り付けるための立壁部１３が一対形成され、各立壁部１３の外壁面１３ｂの所定の部位には、電池受け台７の対応する嵌合凹部１６ｐに嵌合する略半円錐形状の嵌合凸部１３ｐが形成されている。
【００２２】
この例の枠状部８には、電池受け台７の底面部１５に対向する底面部が形成されていない（すなわち、開口されている。）。
なお、リアケース４の所定の部位（例えば、マイクロフォン及びバイブレータの配置箇所近傍と、電源端子及びＳＩＭ（Subscriber Identity Module）カードコネクタの配置箇所近傍）には、例えば、水没による水分の機器内への浸入を検出するための検出ラベルが貼着されている。この検出ラベルは、水分に触れることによって、例えば、赤色に発色される。
【００２３】
電池受け台７は、図６乃至図１５に示すように、電池パック１１を載置する底面部１５と、電池パック１１の周側面を囲む側面部１６とからなる無天井の箱型構造を有し、側面部１６のうち、立壁部１３に取り付けられ、互いに対向する２片の所定の部位には、外面側に略半円錐形状に湾曲された嵌合用湾曲部１６ａ，１６ａが形成され、各嵌合用湾曲部１６ａの内面側が、枠状部８の立壁部１３に形成された嵌合凸部１３ｐに嵌合する嵌合凹部１６ｐとされている。
この電池受け台７は、比較的薄い所定の厚さ（例えば、略０．１ｍｍ〜略０．４ｍｍ（この例では、略０．１５ｍｍ））のポリカーボネート等の耐候性及び透明性に優れた合成樹脂製のシート状部材を、例えば、真空成形により箱型に成形して作製されている。
【００２４】
この電池受け台７においては、電池パック１１を保持するための所定の強度が確保されると共に、外力によって比較的容易に変形し、所定の範囲の大きさの外力によって弾性的に変形するように、かつ、可能な限り薄く、その厚さが設定される。
この電池受け台７の採用によって、筐体と一体的に形成され、電池パック１１を載置させるその凹状の電池収納部の底面部が、所定値以上の厚さ（例えば、略０．５ｍｍ以上）を有していた従来技術に比べ、電池格納部の薄型が図られる。
【００２５】
また、この例では、電池受け台７は、嵌合凸部１３ｐと嵌合凹部１６ｐとの嵌合によって、底面部１５と、内部側に配置される例えば回路基板１８との間に所定の離隔が確保されるように、リアケース４によって保持される。
また、電池受け台７は、内部に電池パック１１をその変形を許容するように保持する。例えば、電池受け台７の底面部１５は、電池パック１１の経年変化や過熱による中央部の膨張に合わせて変形する。また、電池パック１１の表面と、電池カバー１２との間にも、所定の間隙が確保される。
なお、電池受け台７の底面部１５と、回路基板１８との間の間隙のうち、周縁部には、例えば、可撓性印刷回路としてのＦＰＣ（Flexible Printed Circuit）１９が配置されて、実装スペースとして活用される。
【００２６】
電池受け台７が、リアケース４の枠状部８に押し込まれると、嵌合突部１３ｐの外面の傾斜面（受け面）に沿って、嵌合用湾曲部１６ａの嵌合凹部１６ｐの内面の傾斜面が接触しながら、嵌合突部１３ｐと嵌合凹部１６ｐとが突っ張り、側面部１６が弾性的に変形し、徐々に強く嵌合されていき、側面部１６のうち、嵌合凹部１６ｐが形成された互いに対向する２片が両立壁部１３，１３を挟み込むようにして、電池受け台７は、枠状部８に収納された状態で取り付けられる。これにより、リアケース４を引っ繰り返しても、電池受け台７が脱落することはない。
【００２７】
なお、電池受け台７の底面部１５及び側面部１６の所定の部位には、図２及び図６に示すように、上記検出ラベルを視認するための透明な窓部１５ａ，１６ｂが形成され、窓部等以外の領域は、着色（印刷）されて、目隠し領域とされている。
また、底面部１５の所定の部位には、図６乃至図８に示すように、例えば、装置本体の製造番号ラベル貼付けのための一対の略Ｌ字状の位置決め用の透明な目印部１５ｂ，１５ｃが形成されている。
電池パック１１は、リチウムイオン二次電池等の充電可能な電池が格納された電池パック本体と、電池パック本体と携帯電話機本体とを電気的に接続するための端子接続部材と、端子接続部材が取り付けられた電池パック本体を保護する外装体とを有してなっている。
【００２８】
次に、この例の電池受け台の取付方法と、電池パック収納構造の機能とについて、図１４乃至図１６を用いて説明する。
電池受け台７をリアケース４に取り付けるには、図１４及び図１５に示すように、側面部１６の端部を枠状部８ヘ向けて、嵌合凹部１６ｐが嵌合凸部１３ｐに対応するように、位置合わせした後、電池受け台７を落とし込んでいく。
【００２９】
電池受け台７が、リアケース４の枠状部８に押し込まれると、嵌合突部１３ｐの外面の傾斜面に沿って、嵌合凹部１６ｐの傾斜面が接触しながら、嵌合突部１３ｐと嵌合凹部１６ｐとが突っ張り、側面部１６が弾性的に変形し、徐々に強く嵌合されていく。
立壁部１３の端縁が、電池受け台７の底面部１５の載置面に突き当たると同時に、嵌合突部１３ｐと嵌合凹部１６ｐとの嵌合が完了し、電池受け台７がリアケース４に取り付けられる。こうして、電池格納部９が形成される。
この後、電池受け台７が取り付けられたリアケース４を引っ繰り返して、電池格納部９に電池パック１１を収納する。
【００３０】
ここで、嵌合凹部１６ｐと嵌合凸部１３ｐとの嵌合によって、電池受け台７は、位置決めされた状態で、リアケース４によって保持されるので、リアケース４を引っ繰り返しても、電池受け台７が脱落することはない。
また、電池受け台７は、嵌合凸部１３ｐと嵌合凹部１６ｐとの嵌合によって、底面部１５と、電池受け台７の内部側に配置された、例えば、回路基板１８との間には、所定の離隔が確保されるように、リアケース４によって保持される。この間隙のうち、周縁部には、例えば、ＦＰＣ１９が配置されて、実装スペースとして活用される。
電池格納部９に電池パック１１を収納した後、電池カバー１２を取り付ける。
【００３１】
電池パック収納構造６において、電池収納部９が、比較的薄いポリカーボネート等のシート状部材を用いて、例えば、真空成形により箱型に成形されてなる電池受け台７が、リアケース４に形成された枠状部８に嵌め込まれて形成され、底面部１５が、シート状部材の厚さまで低減されることによって、電池収納部の薄型化が図られる。
【００３２】
電池パック１１が、経時変化や過熱等によって、図１６に示すように、電池パック１１の両側に膨張して変形しようとすると、電池パック１１の裏面側への変形は、比較的柔らかい電池受け台７の底面部１５が容易に変形することによって許容されて（吸収されて）、この変形分（膨張分）１１ａは、予め確保された底面部１５と、例えば回路基板１８との間の所定の間隙内に収まる。また、電池パック１１の表面側への変形は、間隙が確保されていることによって許容されて（吸収されて）、電池パック１１と電池カバー１２との間の間隙内に収まる。こうして、例えば、電池パック１１及び電池収納部９が損傷することが回避される。
【００３３】
このように、この例の構成によれば、電池収納部９が、比較的薄いポリカーボネート等のシート状部材を用いて、例えば、真空成形により箱型に成形されてなる電池受け台７が、リアケース４に形成された枠状部８に嵌め込まれて形成されているので、電池収納部の薄型化を図ることができる。
すなわち、この電池受け台７の採用によって、筐体と一体的に形成され、電池パック１１を載置させるその凹状の電池収納部の底面部が、所定以上の厚さ（例えば、０．５ｍｍ以上）を有していた従来技術に比べ、電池パック１１が載置される底面部１５を、シート状部材の厚さまで低減することができるので、携帯電話機の電池格納部９を薄型化することができる。
しかも、電池受け台７は、電池パック１１を保持するための所定の強度が確保されるように、その厚さが設定されているので、電池パック１１を確実に保持することができる。
【００３４】
また、電池受け台７の側面部１６には、略半円錐形状の嵌合凹部１６ｐが形成され、リアケース４には、嵌合凹部１６ｐに嵌め込まれる略半円錐形状の嵌合凸部１３ｐが形成され、嵌合凹部１６ｐと嵌合凸部１３ｐとの嵌合によって、電池受け台７は、位置決めされた状態で、リアケース４によって保持されるので、リアケース４を引っくり返しても、電池受け台７が脱落することはない。
また、電池受け台７をリアケース４の枠状部８に落とし込むだけで、簡単に、電池受け台７をリアケース４に取り付けることができる。したがって、組立時の作業性を向上させることができる。
【００３５】
また、電池受け台７が、リアケース４の枠状部８に押し込まれると、嵌合突部１３ｐの外面の傾斜面に沿って、嵌合凹部１６ｐの傾斜面が接触しながら、嵌合突部１３ｐと嵌合凹部１６ｐとが突っ張り、側面部１６が弾性的に変形し、徐々に強く嵌合されていくので、円滑に、かつ、確実に、電池受け台７をリアケース４に取り付けることができる。
【００３６】
また、電池受け台７は、嵌合凸部１３ｐと嵌合凹部１６ｐとの嵌合によって、底面部１５と、電池受け台７の内部側に配置された、例えば、回路基板１８との間に所定の離隔が確保されるように、リアケース４によって保持され、電池パック１１の表面と、電池カバー１２との間にも、所定の間隙が確保され、かつ、電池受け台７は、その内部に電池パック１１を変形を許容するように保持するので、電池パック１１が経時変化や過熱等によって、電池パック１１の両側に変形しようとしても、電池パック１１の裏面側への変形は、比較的柔らかい電池受け台７の底面部１５が容易に変形することによって、電池パック１１の表面側への変形は、間隙が確保されていることによって許容されて（吸収されて）、例えば、電池パック１１及び電池収納部９が損傷することを回避することができる。
【００３７】
また、電池受け台７の底面部１５と、回路基板１８との間の間隙のうち、周縁部には、例えば、可撓性印刷回路としてのＦＰＣ１９が配置されて、実装スペースとして活用されるので、実装密度を向上させることができる。
【実施例２】
【００３８】
図１７は、この発明の第２の実施例である携帯電話機の電池受け台のリアケースへの取付方法を説明するための説明図である。
この例が上述した第１の実施例と大きく異なるところは、第１の実施例では、リアケースの立壁部に嵌合凸部を形成し、電池受け台の側面部に嵌合凹部を形成したのに対して、立壁部に嵌合凹部を形成し、側面部に嵌合凸部を形成した点である。
【００３９】
この例のリアケースの枠状部の内面側には、図１７に示すように、内壁面２１ａと外壁面２１ｂとを有し電池受け台２２を取り付けるための立壁部２１が一対形成され、各立壁部２１の外壁面２１ｂの所定の部位には、電池受け台２２の対応する嵌合凸部２３ｐに嵌合する略半円錐形状の嵌合凹部２１ｐが形成されている。
【００４０】
電池受け台２２は、同図に示すように、電池パック１１を載置する底面部１５と、電池パック１１の周側面を囲む側面部２３とからなる無天井の箱型構造を有し、側面部２３のうち、立壁部２１に取り付けられ、互いに対向する２片の所定の部位には、外面側に略半円錐形状に湾曲された嵌合用湾曲部２３ａが形成され、各嵌合用湾曲部２３ａの内面側が、枠状部の立壁部２１に形成された嵌合凹部２１ｐに嵌合する嵌合凸部２３ｐとされている。
【００４１】
この例の構成によれば、上述した第１の実施例と略同様の効果を得ることができる。
【００４２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、電池受け台の材料としては、ポリカーボネートを用いる場合について述べたが、ポリカーボネートに限らず、アクリル樹脂や、ＰＥＴ等他の樹脂製シート状部材を用いても良い。また、ＡＢＳ樹脂等を用いても良い。また、樹脂製シート状部材に限らず、金属箔や、複合材料を用いても良い。
【００４３】
また、薄型電池として、リチウムイオン二次電池に限らず、例えば、ポリマー電池の収納のために適用できる。
また、電池受け台は、真空成形に限らず、例えば、射出成形によって成形しても良い。この場合、２色成形としても良い。
また、薄型電子部品保持体として、開口の広い浅底の箱形の薄型電子部品保持体に限らず、開口の狭い深底の（又は、奥行きの長い）箱形の薄型電子部品保持体にも適用できる。
また、嵌合凹部及び嵌合凸部は、一対に限らず複数対設けても良い。
【００４４】
また、図１８に示すように、リアケースの立壁部２５の外壁面２５ｂの所定の部位に、電池受け台２６の対応する嵌合凹部２７ｐに嵌合する略半円錐形状の嵌合凸部２５ｐを形成すると共に、嵌合凸部２５ｐの下部に溝部２５ｑを形成し、電池受け台２６の側面部２７の所定の部位には、嵌合用湾曲部２７ａを形成し、嵌合用湾曲部２７ａの内面側に、嵌合凸部２５ｐに嵌合する嵌合凹部２７ｐを形成すると共に、嵌合用湾曲部２７ａの先端部に溝部２５ｑに係止される爪部２７ｑを形成するようにしても良い。
また、立壁部には、溝部２５ｑに代えて、単に、段差部を設けるようにしても良い。
また、電池受け台に、リブとして、断面略矩形状の突起部を形成し、立壁部の外壁面に、リブ受け部として、スリット状の孔部を形成するようにしても良い。
【産業上の利用可能性】
【００４５】
携帯型の電子機器としては、携帯電話機のほか、簡易型携帯電話（ＰＨＳ）端末や、携帯情報端末（ＰＤＡ）、携帯型のコンピュータに対して適用できる。また、電子機器として、一般に、コンピュータや、光学機器、音響機器等を構成する薄型電子部品を収納する収納部に適用できる。
【図面の簡単な説明】
【００４６】
【図１】この発明の第１の実施例である携帯電話機の構成を説明するための分解斜視図である。
【図２】同携帯電話機の下部筐体のリアケースに設けられた電池収納部の構成を示す斜視図であって、同リアケースの裏面側から見た図である。
【図３】同電池収納部の構成を示す下面図である。
【図４】同電池収納部の構成を示す下面図であって、同電池収納部に電池パックを収納した状態を示す図である。
【図５】図３のＡ−Ａ線に沿った断面図である。
【図６】同電池収納部の電池受け台の構成を示す斜視図である。
【図７】同電池受け台の構成を示す平面図である。
【図８】同電池受け台の構成を示す下面図である。
【図９】同電池受け台の構成を示す正面図である。
【図１０】同電池受け台の構成を示す背面図である。
【図１１】同電池受け台の構成を示す左側面図である。
【図１２】同電池受け台の構成を示す右側面図である。
【図１３】同電池受け台の側面部に形成された嵌着用湾曲部の構成を示す斜視図である。
【図１４】同電池受け台の同リアケースへの取付方法を説明するための説明図である。
【図１５】同電池受け台の同リアケースへの取付方法を説明するための説明図である。
【図１６】図４のＢ−Ｂ線に沿った断面図であって、同携帯電話機の電池パック収納構造の機能を説明するための説明図である。
【図１７】この発明の第２の実施例である携帯電話機の電池受け台のリアケースへの取付方法を説明するための説明図である。
【図１８】この発明の第１の実施例の変形例である携帯電話機の電池収納部の構成及び機能を説明するための断面図である。
【図１９】従来技術を説明するための説明図であって、従来の携帯電話機における電池パック収納構造を説明するための分解斜視図である。
【符号の説明】
【００４７】
１，１Ｂ      携帯電話機（電子機器）
２      下部筐体（筐体）
４      リアケース（フレーム）
６      電池パック収納構造（電子部品収納構造）
７，２２      電池受け台（受け台）
８      枠状部（枠部）
９      電池格納部（部品格納部）
１１      電池パック（電子部品）
１２      電池カバー（蓋部材）
１３，２１      立壁部（側壁）
１３ｐ      嵌合凸部（リブ受け部）
１５      底面部
１６，２３      側面部（周縁部）
１６ａ      嵌合用湾曲部（リブ）
１６ｐ      嵌合凹部
２１ｐ      嵌合凹部（リブ受け部）
２３ａ      嵌合用湾曲部（リブ）
２３ｐ      嵌合凸部
【図１】
2008171633.tif 000003
【図２】
2008171633.tif 000004
【図３】
2008171633.tif 000005
【図４】
2008171633.tif 000006
【図５】
2008171633.tif 000007
【図６】
2008171633.tif 000008
【図７】
2008171633.tif 000009
【図８】
2008171633.tif 000010
【図９】
2008171633.tif 000011
【図１０】
2008171633.tif 000012
【図１１】
2008171633.tif 000013
【図１２】
2008171633.tif 000014
【図１３】
2008171633.tif 000015
【図１４】
2008171633.tif 000016
【図１５】
2008171633.tif 000017
【図１６】
2008171633.tif 000018
【図１７】
2008171633.tif 000019
【図１８】
2008171633.tif 000020
【図１９】
2008171633.tif 000021